(57)【要約】【課題】ブラシ群の耐久性を向上させることができるとともにブラシ群を簡単に掃除することができ、マイナスイオンを被清掃面に安定して供給することができる電気掃除機用吸込具及びそれを用いた電気掃除機の提供。【解決手段】下面に吸込口を有する吸込具本体と、吸込具本体に回転自在に設けられており、吸込口から被清掃面の塵埃を掻き上げる回転ブラシと、回転ブラシの外周に設けられており、帯電順位がプラス側にある素材からなるブラシ体と、吸込具本体内のブラシ体と当接する位置に設けられており、少なくとも一部が帯電順位がマイナス側にある素材からなる略筒状の摩擦体と、摩擦体を吸込具本体に着脱自在に保持させる保持体と、を有する電気掃除機用吸込具。【選択図】図２
2011224149.tif 000002
【特許請求の範囲】
【請求項１】
下面に吸込口を有する吸込具本体と、
前記吸込具本体に回転自在に設けられており、前記吸込口から被清掃面の塵埃を掻き上げる回転ブラシと、
前記回転ブラシの外周に設けられており、帯電順位がプラス側にある素材からなるブラシ体と、
前記吸込具本体内の前記ブラシ体と当接する位置に設けられており、少なくとも一部が帯電順位がマイナス側にある素材からなる略筒状の摩擦体と、
前記摩擦体を前記吸込具本体に着脱自在に保持させる保持体と、
を有する電気掃除機用吸込具。
【請求項２】
前記摩擦体は、前記吸込具本体内の前記吸込口に臨む位置に設けられており、前記保持体は、前記吸込具本体の前記吸込口内に前記吸込口の一部を形成するように設けられており、前記保持体は、前記吸込口を形成する面が前記吸込具本体の前記吸込口を形成する面と略同一面となるように形成されている請求項１に記載の電気掃除機用吸込具。
【請求項３】
前記保持体には、前記保持体を前記吸込具本体に着脱自在に固定する尾錠部が設けられており、前記尾錠部は、前記保持体が前記吸込具本体に固定された状態において、前記保持体と略同一面となるように形成されている請求項１または２に記載の電気掃除機用吸込具。
【請求項４】
前記摩擦体は、少なくとも一部が帯電順位がマイナス側にある素材からなる略筒状の摩擦体本体と、前記摩擦体本体の軸心に回転自在に設けられ、前記摩擦体本体から突出して形成された軸体と、から構成されており、前記摩擦体は、前記軸体の一端が前記吸込具本体によって保持され、前記軸体の他端が前記保持体によって保持されることで、前記吸込具本体に保持されており、前記軸体の前記保持体によって保持されている側の長さは、前記軸体の前記吸込具本体によって保持されている側の長さよりも長く形成されている請求項１〜３のうちの何れか１項に記載の電気掃除機用吸込具。
【請求項５】
前記軸体の前記保持体により保持されている側には、回転止め部が設けられている請求項４に記載の電気掃除機用吸込具。
【請求項６】
前記軸体の端部近傍には、滑り止め部が形成されている請求項４または５に記載の電気掃除機用吸込具。
【請求項７】
吸引風を発生させる電動送風機を内蔵する掃除機本体と、
請求項１〜６のうちの何れか１項に記載の電気掃除機用吸込具と、
を有する電気掃除機。
【発明の詳細な説明】
【技術分野】
【０００１】
本発明は、電気掃除機用吸込具及びそれを用いた電気掃除機に関する。
【背景技術】
【０００２】
従来の電気掃除機用吸込具においては、電気掃除機用吸込具内に帯電順位の異なるブラシ群をそれぞれ設け、このブラシ群を摩擦させ合いながら回転させることでマイナスイオンを発生させ、このマイナスイオンを被清掃面の塵埃に吸着させて集塵する構成を有する電気掃除機用吸込具が提案されている（例えば、特許文献１参照）。
【０００３】
すなわち、図６に示すように、吸込具本体４０の下面に設けられた開口部４１内には、帯電順位がマイナス側のブラシ４２を有するブラシ群４３と帯電順位がプラス側のブラシ４４を有するブラシ群４５とが、それぞれ回転自在に設けられており、このブラシ群４３及び４５は、被清掃面上を吸込具本体４０が動く際に生じるブラシ群４３及び４５と被清掃面との抵抗力等により回転し、この回転時に、ブラシ群４３が有するブラシ４２とブラシ群４５が有するブラシ４４とが摩擦し合うことでマイナスイオンを発生させる構成を有する電気掃除機用吸込具が提案されている。
【先行技術文献】
【特許文献】
【０００４】
【特許文献１】特開２００５−３０５１９４号公報
【発明の概要】
【発明が解決しようとする課題】
【０００５】
しかしながら、上記従来の電気掃除機用吸込具においては、マイナスイオンを被清掃面に安定して供給するという観点からは未だ改善の余地があった。
【０００６】
すなわち、上記従来の電気掃除機用吸込具においては、帯電順位がプラス側のブラシを有するブラシ群と帯電順位がマイナス側のブラシを有するブラシ群とは、ブラシ同士により接触しているため、接触部分の面積が大きくなる。このため、ブラシが互いに磨耗し合い摩滅したり、ブラシ同士が絡まり引きちぎれたりする場合があるため、耐久性が低く、マイナスイオンを被清掃面に安定して供給することができない場合があることを本発明者らは見出した。
【０００７】
また、上記従来の電気掃除機用吸込具においては、使用時に、ブラシ群が被清掃面の塵埃で汚れたり、ブラシ群に糸や髪の毛などの長尺の塵埃が巻き付いたりした場合、ブラシ群が正常に回転せず、マイナスイオンを被清掃面に安定して供給できない場合があった。そのため、ブラシ群が汚れたり、ブラシ群に塵埃が巻き付いたりした場合、使用者は、吸込具本体の開口部から布や手などを吸込具本体内に入れ、ブラシ群を布等で拭いたり、ブラシ群に巻き付いた塵埃を手で取り除いたりする必要がある。しかしながら、吸込具本体の開口部から掃除できるブラシ群の範囲は小さく、掃除しにくいものであり、ブラシ群を十分に掃除できない場合があり、マイナスイオンを被清掃面に安定して供給できない場合があった。
【０００８】
本発明は、上記従来技術の有する課題に鑑みてなされたものであり、ブラシ群の耐久性を向上させることができるとともにブラシ群を簡単に掃除することができ、マイナスイオンを被清掃面に安定して供給することができる電気掃除機用吸込具及びそれを用いた電気掃除機を提供することを目的とする。
【課題を解決するための手段】
【０００９】
上記従来技術の有する課題を解決するために、本発明は、下面に吸込口を有する吸込具本体と、吸込具本体に回転自在に設けられており、吸込口から被清掃面の塵埃を掻き上げる回転ブラシと、回転ブラシの外周に設けられており、帯電順位がプラス側にある素材からなるブラシ体と、吸込具本体内のブラシ体と当接する位置に設けられており、少なくとも一部が帯電順位がマイナス側にある素材からなる略筒状の摩擦体と、摩擦体を吸込具本体に着脱自在に保持させる保持体と、を有する電気掃除機用吸込具を提供する。
【００１０】
上述のように、本発明の電気掃除機用吸込具は、帯電順位がプラス側にある素材からなるブラシ体と、吸込具本体内のブラシ体と当接する位置に設けられた少なくとも一部が帯電順位がマイナス側にある素材からなる略筒状の摩擦体と、摩擦体を吸込具本体に着脱自在に保持させる保持体と、を有し、ブラシ体と摩擦体とが摩擦し合うことでマイナスイオンを発生させる構成としたものである。
【００１１】
これにより、帯電順位がプラス側にある素材からなるブラシ体と少なくとも一部が帯電順位がマイナス側にある素材からなる摩擦体との接触部分の面積が小さくなるため、ブラシが互いに磨耗し合い摩滅したり、ブラシ同士が絡まり引きちぎれたりすることがなく、ブラシ体の耐久性を向上させることができ、マイナスイオンを被清掃面に安定して供給することができる。
【００１２】
また、摩擦体は保持体により吸込具本体に着脱自在に保持されているため、摩擦体が汚れたり、摩擦体に塵埃が巻きついたりした場合であっても、保持体を取り外すことで摩擦体を簡単に取り外すことができ、摩擦体を簡単に清掃することが可能となり、マイナスイオンを被清掃面に安定して供給することができる。
【発明の効果】
【００１３】
本発明の電気掃除機用吸込具によれば、ブラシ体の耐久性を向上させることができるとともに摩擦体を簡単に掃除することができ、マイナスイオンを被清掃面に安定して供給することができるようになる。
【図面の簡単な説明】
【００１４】
【図１】本発明の電気掃除機用吸込具の実施の形態１を装着した電気掃除機の全体斜視図
【図２】本発明の電気掃除機用吸込具の実施の形態１における吸込具本体の断面図
【図３】本発明の電気掃除機用吸込具の実施の形態１における吸込具本体の裏面図
【図４】本発明の電気掃除機用吸込具の実施の形態１における吸込具本体の回転ブラシを外した状態での裏面図
【図５】本発明の電気掃除機用吸込具の実施の形態１における吸込具本体の保持体を外した状態での裏面図
【図６】従来の電気掃除機用吸込具の側部断面図
【発明を実施するための形態】
【００１５】
第１の発明は、下面に吸込口を有する吸込具本体と、吸込具本体に回転自在に設けられており、吸込口から被清掃面の塵埃を掻き上げる回転ブラシと、回転ブラシの外周に設けられており、帯電順位がプラス側にある素材を有するブラシ体と、吸込具本体内のブラシ体と当接する位置に設けられており、少なくとも一部が帯電順位がマイナス側にある素材からなる略筒状の摩擦体と、摩擦体を吸込具本体に着脱自在に保持させる保持体と、を有する電気掃除機用吸込具としたものである。
【００１６】
これにより、帯電順位がプラス側にある素材からなるブラシ体と少なくとも一部が帯電順位がマイナス側にある素材からなる摩擦体との接触部分の面積が小さくなるため、ブラシが互いに磨耗し合い摩滅したり、ブラシ同士が絡まり引きちぎれたりすることがなく、ブラシ体の耐久性を向上させることができ、マイナスイオンを被清掃面に安定して供給することができる。
【００１７】
また、摩擦体は保持体により吸込具本体に着脱自在に保持されているため、摩擦体が汚れたり、摩擦体に塵埃が巻きついたりした場合であっても、保持体を取り外すことで摩擦体を簡単に取り外すことができ、摩擦体を簡単に清掃することが可能となり、マイナスイオンを被清掃面に安定して供給することができる。
【００１８】
第２の発明は、特に第１の発明において、摩擦体は、吸込具本体内の吸込口に臨む位置に設けられており、保持体は、吸込具本体の吸込口内に吸込口の一部を形成するように設けられており、保持体は、吸込口を形成する面が吸込具本体の吸込口を形成する面と略同一面となるように形成されているものである。
【００１９】
これにより、保持体の吸込口を形成する面が吸込具本体の吸込口を形成する面と略同一面となるため、回転ブラシの回転や塵埃の引っ掛かりなどがなく、回転ブラシの回転、ひいては掃除作業に支障を及ぼすことを十分に防止することができる。
【００２０】
第３の発明は、特に第１または第２の発明において、保持体には、保持体を吸込具本体に着脱自在に固定する尾錠部が設けられており、尾錠部は、保持体が吸込具本体に固定された状態において、保持体と略同一面となるように形成されているものである。
【００２１】
これにより、尾錠部が吸込具本体の吸込口を形成する面と略同一面となるため、回転ブラシの回転や塵埃の引っ掛かりなどがなく、回転ブラシの回転、ひいては掃除作業に支障を及ぼすことを十分に防止することができる。
【００２２】
第４の発明は、特に第１〜第３の発明において、摩擦体は、少なくとも一部が帯電順位がマイナス側にある素材からなる略筒状の摩擦体本体と、摩擦体本体の軸心に回転自在に設けられ、摩擦体本体から突出して形成された軸体と、から構成されており、摩擦体は、軸体の一端が吸込具本体によって保持され、軸体の他端が保持体によって保持されることで、吸込具本体に保持されており、軸体の保持体によって保持されている側の長さは、軸体の吸込具本体によって保持されている側の長さよりも長く形成されているものである。
【００２３】
これにより、使用者が、保持体を取り外し、摩擦体を取り外した時に、長く突出した軸体を持つことが可能となり、塵埃で汚れた摩擦体を直接手で持つことがなく、手を汚しにくく、摩擦体を簡単に掃除することができる。
【００２４】
第５の発明は、特に第４の発明において、軸体の保持体により保持されている側には、回転止め部が設けられているものである。
【００２５】
これにより、摩擦体が回転するときに軸体を回動固定して保持でき、軸体を固定している部分の磨耗や軸の振動を防止できるものである。
【００２６】
第６の発明は、特に第４または第５の発明において、軸体の端部近傍には、滑り止め部が形成されているものである。
【００２７】
これにより、使用者が摩擦体を取り外した際に軸体を持つことが容易となり、より簡便な摩擦体の掃除を実現することができる。
【００２８】
第７の発明は、吸引風を発生させる電動送風機を内蔵する掃除機本体と、請求項１〜６のうちの何れか１項に記載の電気掃除機用吸込具と、を有する電気掃除機としたものである。
【００２９】
これにより、ブラシ体の耐久性を向上させることができるとともに摩擦体を簡単に掃除することができ、マイナスイオンを被清掃面に安定して供給することができる電気掃除機を提供することができる。
【００３０】
以下、図面を参照しながら本発明の電気掃除機用吸込具の好適な実施形態について詳細に説明する。なお、以下の説明では、同一または相当部分には同一符号付し、重複する説明は省略する。
【００３１】
（実施の形態１）
本発明の電気掃除機用吸込具の実施の形態１について、図１〜５を用いて説明する。
【００３２】
図１は、本発明の電気掃除機用吸込具の実施の形態１を装着した電気掃除機の全体斜視図である。また、図２は、本発明の電気掃除機用吸込具の実施の形態１における吸込具本体の断面図である。さらに、図３は、本発明の電気掃除機用吸込具の実施の形態１における吸込具本体の裏面図である。また、図４は、本発明の電気掃除機用吸込具の実施の形態１における吸込具本体の回転ブラシを外した状態での裏面図である。さらに、図５は、本発明の電気掃除機用吸込具の実施の形態１における吸込具本体の保持体を外した状態での裏面図である。
【００３３】
図１に示すように、電気掃除機１００は、主として、被清掃面の塵埃を捕集する吸込具本体１と、吸引風を発生させる電動送風機２３を内蔵する掃除機本体２２と、一端が掃除機本体２２に着脱自在に接続されるホース３１と、一端がホース３１に接続され、他端が吸込具本体１のパイプ６に接続される延長管３０とから構成されている。ホース３１の延長管３０側の端部には、使用者が電動送風機２３を動作させる運転モード（例えば、強、中、弱、切などの吸込み力）を選択する手元操作部（図示せず）が設けられている。また、手元操作部（図示せず）には、使用者により選択された運転モードに基づき、電動送風機２３を制御する制御回路（図示せず）が設けられている。
【００３４】
図２〜図５に示すように、吸込具本体１は、主として、吸込具本体１の上面を構成する上部材２と、吸込具本体１の下面を構成するとともに、下面に吸込口１５を有する下部材５と、上部材２と下部材５との間に配置されており、後述する摩擦体１０が配置される穴部（図示せず）が設けられている中部材４とから構成されている。また、吸込具本体１の後方の中央部にはパイプ６（図１参照）が配置されており、このパイプ６は下部材５と上部材２とにより挟持されている。
【００３５】
吸込口１５内には、被清掃面の塵埃を掻き上げる２つの回転ブラシ７が着脱自在に配置されている。この回転ブラシ７は、吸込具本体１の下部材５に回転自在に取付けられている。また、回転ブラシ７の外周には、帯電順位がプラス側にある素材から構成されたブラシ体８がらせん状に複数配置されている。さらに、吸込口１５の前方内部、すなわち、下部材５の前方の内壁には、帯電順位がマイナス側にある素材からなる板部９が設けられており、ブラシ体８は板部９に接触するように構成されている。
【００３６】
吸込具本体１の後方の左右どちらか一方には、電動機やタービンなどからなる駆動部１３が設けられており、この駆動部１３の出力は、ベルト１４により回転ブラシ７の一端に設けたギアに伝達されている。
【００３７】
回転ブラシ７の回転中心軸よりも前方の上部には、ブラシ体８と接触するように摩擦体１０が設けられている。この摩擦体１０は、中部材４に設けられた穴部（図示せず）に吸込口１５に臨むように配置されている。また、摩擦体１０は回転ブラシ７の長手方向（軸方向）の全長に対して短く設定されており、摩擦体１０は回転ブラシ７の長手方向（軸方向）に２個設置されている。さらに、摩擦体１０は、その軸心に設けられた軸体１２により回転自在に軸支されている。ここで、ブラシ体８が摩擦体１０と接触する量は、１〜２ｍｍが好ましい。また、ブラシ体８と摩擦体１０との接触量、摩擦体１０の長さ、及び摩擦体１０の個数については特に本発明の構成要件や効果に対して制限するものではない。
【００３８】
摩擦体１０の表面には、帯電順位がマイナス側にある素材から構成されており、摩擦体１０の長手方向（軸方向）に向かって伸びる短冊状のプレート１１が設けられており、プレート１１は摩擦体１０の表面から突出するように構成されている。このプレート１１の位置に関しても必ずしも突出している必要はなく、ブラシ体８との接触が得られるのであれば特に本発明の効果を妨げるものではなく、本発明の構成要件を制限するものではない。
【００３９】
ここで、本実施の形態において、「帯電順位がプラス側にある素材」とは、プラスに帯電しやすい素材であり、例えば、ナイロンや羊毛などのプラスに帯電しやすい材料を採用すればよい。また、「帯電順位がマイナス側にある素材」とは、マイナスに帯電しやすい素材であり、例えば、フッ化樹脂や塩化ビニル等のマイナスに帯電しやすい材料を採用すればよい。
【００４０】
軸体１２は、摩擦体１０の軸心を貫通し、摩擦体１０を回動自在に保持している。軸体１２の一端には挿入部２０が設けられており、他端には保持部２１が設けられており、保持部２１の長さは、挿入部２０の長さよりも長くなるように構成されている。軸体１２の挿入部２０は、下部材５と上部材２で形成された保持穴（図示せず）に挿入され保持されている。軸体１２の保持部２１には、その外周を面カットした回り止め部１６が設けられており、下部材５に設けられた受け部１７に回動固定するようにセットされる。摩擦体１０は、軸体１２の保持部２１側の端部１２ａを保持体１８で着脱自在に保持されることで吸込具本体１に保持されている。なお、軸体１２の保持部２１側の端部１２ａの近傍はローレット加工やコーティングなどで滑り止め加工が施されている。
【００４１】
保持体１８は、吸込口１５の内部に吸込口１５の一部を形成するように配置されており、保持体１８の吸込口１５を形成する面が吸込具本体１の吸込口１５を形成する面と略同一面となるように形成されている。また、保持体１８には、保持体１８を下部材５に着脱自在に固定させる尾錠部１９が回転自在に設けられている。尾錠部１９は、保持体１８が吸込具本体１に固定された状態において、保持体１８と略同一面となるように形成されている。つまり、尾錠部１９で保持体１８を下部材５に固定することで、下部材２に対して摩擦体１０は回動自在に、軸体１２は固定されて保持されるものである。
【００４２】
中部材４の上部に配置された上部材２には窓部３が設けられており、この窓部３により上部材２上面からのぞいた時でも摩擦体１０を確認できるように構成されている。また、ブラシ体８は下部材５の前方内壁にも接触し、下部材５の前方内壁部にはテフロン（登録商標）などの帯電列順位がマイナス側にある素材でできた板部材９を設けてある。
【００４３】
以上のように構成された電気掃除機用吸込具について、以下その動作、作用を説明する。
【００４４】
まず、ホース３１に設けられた回路上のスイッチから電動送風機２３を起動させる。電
動送風機２３により負圧が発生し、ホース３１と延長管３０内部に掃除機本体２２内部に流れ込む吸引風が発生する。吸込具本体１にはパイプ６を介して、吸込口１５に吸引風が発生し、被清掃面の塵埃を吸引して掃除機本体２２内部に送り込むことになる。
【００４５】
駆動部１３が電動機だった場合、電動送風機２３が起動したときに駆動部１３も起動され、動力はベルト１４を介して回転ブラシ７に伝達される。図１より、回転ブラシ７の回転方向は、吸込具本体１の左側面から吸込具本体１を眺めたときに、反時計方向となる。
【００４６】
ここで、吸込具本体１の左側面とは、図１中の矢印Ｃ側である。また、吸込具本体１の前方とは、図１中の矢印Ａ側であり、使用者が吸込具本体１を前進操作する方向に相当する。さらに、吸込具本体１の後方とは、図１中の矢印Ｂ側であり、使用者が吸込具本体１を後進操作する方向に相当する。また、吸込具本体１の右側面とは、図１中の矢印Ｄ側である。
【００４７】
回転ブラシ７が駆動することで、ブラシ体８が摩擦体１０に接触し、摩擦体１０はブラシ体８の駆動力により回転駆動する。回転ブラシ７が反時計方向で回転するので摩擦体１０は時計方向に駆動することになる。また、窓部３より摩擦体１０が回転駆動していることを確認できる。上述したように摩擦体１０は回転ブラシ７のブラシ体８によって回転力を受けて回転するため、摩擦体１０はブラシ体８に完全には同期せず、被掃除面の状態等による負荷状況によって回転差動が発生することにより、摩擦が発生する。また、摩擦体１０は回転するため、固定した場合に較べて回転ブラシ７への負荷は少ないものである。
【００４８】
ブラシ体８は、プレート１１と板部９とに接触しており、プラスの帯電順位のものがマイナスの帯電順位のものと摺りあうことで、マイナスイオンを発生させる。そのため、ブラシ体８、プレート１１、及び板部材９の間でマイナスイオンが発生される。
【００４９】
マイナスイオンは、はじき出されるように発生して被掃除面に散布されるので、この場合、回転ブラシ７の回転方向が反時計回りであるために、吸込具本体１の前方部に向かって散布されることになる。プレート１１も板部材９も回転ブラシ７の長手方向に向かって存在するために、マイナスイオンは回転ブラシの長手方向の長さ分、吸込具本体前部に向かって散布される形になる。
【００５０】
上述のように、摩擦体１０が回転することによって、回転ブラシ７に駆動負荷を抑えた状態でマイナスイオンを発生するわけであるが、どうしても掃除作業によって、塵埃の汚れや糸や髪の毛などの長尺の塵埃の巻き付きなどが生じ、回転に支障をきたす場合がある。このような場合、本実施の形態においては、回転ブラシ７を吸込具本体１から取り外し、その後、尾錠部１９を解除して保持体１８を吸込具本体１から取り外し、軸体１２を外すことで摩擦体１０を外し、塵埃の除去などのメンテナンスを可能とするものである。また、軸体１２の保持部２１は挿入部２０よりも長く形成されかつ滑り止め加工がなされているため、取り外しに際しても手で取り外しが容易に出来るものである。また、磨耗やガタツキを防止するため、軸体１２は回転固定されているが、軸体１２の回り止め１６も保持体１８側に配置されているため、セット時も容易にセットできるものである。また、保持体１８や尾錠部１９は吸込口１５の内壁と略同一面をなすため、使用時に回転ブラシ７のブラシ体８と干渉などせず、塵埃の溜りなどは発生しない。
【産業上の利用可能性】
【００５１】
本発明の電気掃除機用吸込具及びそれを用いた電気掃除機は、マイナスイオンを被清掃面側に安定して供給させると共に耐久性の優れたものとすることが可能となるので、被清掃面を拭き掃除する電気掃除機用吸込具等の用途にも適用できる。
【符号の説明】
【００５２】
１  吸込具本体
７  回転ブラシ
８  ブラシ体
１０  摩擦体
１２  軸体
１２ａ  端部
１５  吸込口
１６  回り止め部
１７  受け部
１８  保持体
１９  尾錠部
２０  挿入部
２１  保持部
【図１】
2011224149.tif 000003
【図２】
2011224149.tif 000004
【図３】
2011224149.tif 000005
【図４】
2011224149.tif 000006
【図５】
2011224149.tif 000007
【図６】
2011224149.tif 000008